(57)【要約】【課題】バッテリの残量に応じて制限される撮像装置の機能を、ユーザにとって把握し易くすることができる撮像装置を提供する。【解決手段】撮像装置（１００）は、少なくとも１つのバッテリ（２０１，２０２）が装着され、被写体像を撮像して画像データを生成する。撮像装置は、操作部（１７０）と、表示部（１６３）と、制御部（１５３）とを備える。操作部は、ユーザの操作を入力する。表示部は、撮像装置の設定に関する情報を表示する。制御部は、操作部に入力されたユーザ操作に基づき、表示部を制御する。撮像装置は、バッテリによる電力を用いて実行される複数の機能を有する。制御部は、上記複数の機能を実行していない状態で所定のユーザ操作が操作部に入力されたとき（Ｓ１）、上記複数の機能においてバッテリの残量が不足していることから実行できない機能があるか否かを示す確認情報（２０〜２７）を表示部に表示させる。【選択図】図５
2020173354.tif 000002
【特許請求の範囲】
【請求項１】
少なくとも１つのバッテリが装着され、被写体像を撮像して画像データを生成する撮像装置であって、
ユーザの操作を入力する操作部と、
前記撮像装置の設定に関する情報を表示する表示部と、
前記操作部に入力されたユーザ操作に基づき、前記表示部を制御する制御部とを備え、
前記撮像装置は、前記バッテリによる電力を用いて実行される複数の機能を有し、
前記制御部は、前記複数の機能を実行していない状態で所定のユーザ操作が前記操作部に入力されたとき、前記複数の機能において前記バッテリの残量が不足していることから実行できない機能があるか否かを示す確認情報を前記表示部に表示させる
撮像装置。
【請求項２】
前記確認情報は、前記ユーザ操作が入力されたときの前記バッテリの残量では実行できない機能を列挙する
請求項１に記載の撮像装置。
【請求項３】
前記確認情報は、前記バッテリの残量では実行できない機能の代わりに、当該残量において実行できる機能を提示する
請求項２に記載の撮像装置。
【請求項４】
前記操作部は、前記バッテリの残量では実行できない機能の代わりに、提示された機能を使用するか否かを選択するユーザの選択操作を入力し、
前記制御部は、前記ユーザの選択操作に従って前記撮像装置の設定を制御する
請求項３に記載の撮像装置。
【請求項５】
前記確認情報は、前記ユーザ操作が入力されたときの前記バッテリの残量では実行できない機能の代わりに、当該残量において実行できる機能を使用するか否かを確認する情報であり、
前記制御部は、前記確認情報において前記実行できる機能を使用するか否かを選択するユーザの操作に従って、前記撮像装置の設定を制御する
請求項１に記載の撮像装置。
【請求項６】
前記所定のユーザ操作は、前記バッテリの残量に関する情報を確認するための操作である
請求項１に記載の撮像装置。
【請求項７】
前記確認情報は、前記少なくとも１つのバッテリにおける個別のバッテリの残量を含む
請求項１に記載の撮像装置。
【請求項８】
前記少なくとも１つのバッテリは、第１のバッテリと、第２のバッテリとを含み、
前記表示部は、前記被写体像を表示する際に、前記第２のバッテリの残量を表示せずに、前記第１のバッテリの残量を示すアイコンを表示する
請求項１に記載の撮像装置。
【請求項９】
前記第１のバッテリは、前記撮像装置の内部に設けられ、
前記第２のバッテリは、前記撮像装置に取り付けられる外部装置に設けられる
請求項８に記載の撮像装置。
【発明の詳細な説明】
【技術分野】
【０００１】
本開示は、少なくとも１つのバッテリからの電力を用いて動作可能な撮像装置に関する。
【背景技術】
【０００２】
特許文献１は、デジタルカメラのような携帯型の電子機器において、複数の電池から１個の電池を自動的に選択して使用する際の技術を開示している。特許文献１の撮像装置は、背面モニタと、例えば２個の電池を収納可能な電池収納室とを備える。この撮像装置は、電池収納室に収納されている２個の電池それぞれに関する残量の状態を検出し、電源として使用する１個の電池を自動的に選択する。そして、この自動選択された電池を識別させる表示として背面モニタにおいて、選択されていない電池の残量情報をグレイアウト表示させる一方、使用中の電池の残量情報を通常形態で表示させる。これにより、複数の電池（バッテリ）から自動的に抽出された使用中のバッテリを容易に特定できるようにしている。
【先行技術文献】
【特許文献】
【０００３】
【特許文献１】特開２００８−２８８９４３号公報
【発明の概要】
【発明が解決しようとする課題】
【０００４】
本開示の目的は、バッテリの残量に応じて制限される撮像装置の機能を、ユーザにとって把握し易くすることができる撮像装置を提供することにある。
【課題を解決するための手段】
【０００５】
本開示に係る撮像装置は、少なくとも１つのバッテリが装着され、被写体像を撮像して画像データを生成する。撮像装置は、操作部と、表示部と、制御部とを備える。操作部は、ユーザの操作を入力する。表示部は、撮像装置の設定に関する情報を表示する。制御部は、操作部に入力されたユーザ操作に基づき、表示部を制御する。撮像装置は、バッテリによる電力を用いて実行される複数の機能を有する。制御部は、上記複数の機能を実行していない状態で所定のユーザ操作が操作部に入力されたとき、上記複数の機能においてバッテリの残量が不足していることから実行できない機能があるか否かを示す確認情報を表示部に表示させる。
【発明の効果】
【０００６】
本開示の撮像装置によると、確認情報の表示により、バッテリの残量に応じて制限される撮像装置の機能を、ユーザにとって把握し易くすることができる。
【図面の簡単な説明】
【０００７】
【図１】実施の形態１のデジタルカメラの正面側から見た斜視図
【図２】実施の形態１のデジタルカメラの背面側から見た斜視図
【図３】実施の形態１のデジタルカメラの電気的構成を示すブロック図
【図４】デジタルカメラにおけるライブビュー機能の表示例を示す図
【図５】実施の形態１に係るデジタルカメラにおける機能制限の確認時の処理を説明するためのフローチャート
【図６】デジタルカメラの機能制限の状態を説明するための図
【図７】デジタルカメラの全機能が使用できる状態における表示例を示す図
【図８】デジタルカメラの一部の機能が使用できない状態における表示例を示す図
【図９】デジタルカメラの代替機能が選択された場合の表示例を示す図
【図１０】デジタルカメラの代替機能が選択されなかった場合の表示例を示す図
【図１１】デジタルカメラの全機能が使用できない状態における表示例を示す図
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、発明者（ら）は、当業者が本開示を十分に理解するために添付図面および以下の説明を提供するのであって、これらによって特許請求の範囲に記載の主題を限定することを意図するものではない。
【０００９】
以下、図面を用いて実施の形態を詳細に説明する。
【００１０】
（実施の形態１）
以下図面を用いて、一実施の形態であるデジタルカメラについて説明する。
【００１１】
１．構成
以下、図面を用いてデジタルカメラの構成を説明する。
【００１２】
１−１．デジタルカメラの構成
図１は、実施の形態１に係るデジタルカメラ１００の正面側から見た斜視図である。図２は、実施の形態１に係るデジタルカメラ１００の背面側から見た斜視図である。デジタルカメラ１００は、カメラ本体１０２と、交換レンズ１０１とを含む。さらに、デジタルカメラ１００において、カメラ本体１０２の下面に、例えば外部のバッテリ装置であるバッテリグリップ１０３が装着される。
【００１３】
図３は、実施の形態１に係るデジタルカメラ１００の電気的構成を示すブロック図である。デジタルカメラ１００は、カメラ本体１０２と、カメラ本体１０２に装着可能な交換レンズ１０１とから構成される。カメラ本体１０２には、着脱自在のバッテリグリップ１０３が装着されている。交換レンズ１０１は、ズームレンズ駆動部１１３により駆動されるズームレンズ１１２を有している。カメラ本体１０２は、レンズ制御部１２０を介してズームレンズ１１２を電気的に駆動することができる。すなわち、交換レンズ１０１は、電動ズームレンズである。
【００１４】
カメラ本体１０２は、着脱自在にバッテリ２０１を装着可能であり（以下「本体バッテリ２０１」という）、電源選択回路３００ａを有している。バッテリグリップ１０３は、バッテリ２０２を装着可能であり（以下「ＢＧバッテリ２０２」という）、電源選択回路３００ｂを有している。電源選択回路３００ａおよび電源選択回路３００ｂは、電源選択回路３００を構成する。カメラ本体１０２は、カメラ制御部１５３により、電源選択回路３００を制御できる。すなわち、カメラ本体１０２は、本体バッテリ２０１とＢＧバッテリ２０２のどちらを使用するか、あるいは両方を使用するかを選択することができる。デジタルカメラ１００の各部は、それぞれ本実施形態における負荷部の一例である。
【００１５】
１−２．カメラ本体の構成
図３に示すように、カメラ本体１０２は、ＣＭＯＳイメージセンサ１５０と、液晶モニタ１６３と、画像処理部１７２と、タイミング発生器（ＴＧ）１５１と、カメラ制御部１５３と、ボディマウント１４０と、操作部１７０と、本体バッテリ２０１と、電源選択回路３００ａと、電源スイッチ１５２と、電圧生成回路１５４と、ＤＲＡＭ１５５と、フラッシュメモリ１５６と、カードスロット１６５と、シャッタ１８０とを備える。
【００１６】
カメラ制御部１５３は、操作部１７０等の操作部材からの操作信号等の指示に応じて、ＣＭＯＳイメージセンサ１５０等のデジタルカメラ１００の各部を制御することにより、デジタルカメラ１００全体の動作を制御する。
【００１７】
例えば、カメラ制御部１５３は垂直同期信号をタイミング発生器１５１に送信する。垂直同期信号の送信と並行して、カメラ制御部１５３は、垂直同期信号に基づいて露光同期信号を生成する。カメラ制御部１５３は、生成した露光同期信号を、ボディマウント１４０及びレンズマウント１３０を介して、レンズ制御部１２０に周期的に繰り返して送信する。これにより、カメラ制御部１５３は、露光のタイミングに同期するように、交換レンズ１０１内のフォーカスレンズ１１０等のレンズを制御することが可能となる。
【００１８】
カメラ制御部１５３は、制御動作や画像処理動作の際に、ＤＲＡＭ１５５をワークメモリとして使用する。カメラ制御部１５３は、ハードワイヤードな電子回路で構成してもよいし、プログラムを実行するマイクロコンピュータなどで構成してもよい。また、カメラ制御部１５３は、画像処理部１７２やＤＲＡＭ１５５と共に１つの半導体チップで構成してもよく、あるいは、別個の半導体チップで構成してもよい。
【００１９】
ＣＭＯＳイメージセンサ１５０は、受光素子と、ＡＧＣ（ゲイン・コントロール・アンプ）と、ＡＤコンバータとを含んで構成される。受光素子は、交換レンズ１０１によって集光された光学的信号を電気信号に変換し、画像情報を生成する。またＡＧＣは、受光素子から出力された電気信号を増幅する。ＡＤコンバータは、ＡＧＣから出力された電気信号をデジタル信号に変換する。
【００２０】
ＣＭＯＳイメージセンサ１５０は、タイミング発生器１５１により制御されるタイミングで動作する。タイミング発生器１５１により制御されるＣＭＯＳイメージセンサ１５０の動作には、静止画像の撮像動作、スルー画像の撮像動作、データ転送動作、電子シャッタ動作等がある。スルー画像は主に動画像であり、ユーザが静止画像の撮像のための構図を決めるために液晶モニタ１６３に表示される。ＣＭＯＳイメージセンサ１５０は、生成した画像情報を画像処理部１７２に出力する。なお、ＣＭＯＳイメージセンサ１５０に代えて、ＮＭＯＳイメージセンサやＣＣＤイメージセンサ等の他の撮像素子を用いてもよい。
【００２１】
画像処理部１７２は、ＣＭＯＳイメージセンサ１５０内のＡＤコンバータによってデジタル信号に変換された画像データに、所定の画像処理を施す。所定の画像処理としては、ガンマ補正処理、ホワイトバランス補正処理、キズ補正処理、ＹＣ変換処理、デジタルズーム処理、圧縮処理、伸張処理等が考えられるが、これに限られるものではない。
【００２２】
液晶モニタ１６３は、カメラ本体１０２の背面に配置される表示部である。液晶モニタ１６３は、画像処理部１７２で処理された表示用の画像情報が示す画像を表示する。液晶モニタ１６３は、動画像および静止画を選択的に表示可能である。液晶モニタ１６３はまた、デジタルカメラ１００の設定条件等の情報をユーザに通知するための画像を表示可能である。本実施形態では、カメラ本体１０２は表示部の一例として液晶モニタ１６３を備えるが、表示部はこれに限らない。例えば、カメラ本体１０２は、表示部として有機ＥＬディスプレイを備えてもよい。
【００２３】
フラッシュメモリ１５６は、カメラ制御部１５３が制御を行う際に使用するプログラムやパラメータを保存する。
【００２４】
カードスロット１６５は、メモリカード１６４をカメラ本体１０２に装着可能な接続手段である。カードスロット１６５は、メモリカード１６４を電気的及び機械的に接続可能である。カードスロット１６５はメモリカード１６４を制御する機能を備えてもよい。
【００２５】
メモリカード１６４は、内部にフラッシュメモリ等の記憶素子を備えた外部メモリである。メモリカード１６４は、カメラ制御部１５３で処理された画像情報等のデータを記憶可能である。また、メモリカード１６４は、内部に記憶する画像情報等のデータを出力可能である。メモリカード１６４から読み出された画像データは、カメラ制御部１５３や画像処理部１７２で処理され、例えば液晶モニタ１６３で表示される。本実施形態では、外部メモリの一例としてメモリカード１６４を示すが、外部メモリはこれには限らない。例えば、光ディスクのような記録媒体を外部メモリとして使用することもできる。
【００２６】
ボディマウント１４０は、交換レンズ１０１のレンズマウント１３０（後述）と機械的及び電気的に接続可能である。ボディマウント１４０は、レンズマウント１３０を介して、カメラ本体１０２と交換レンズ１０１との間でデータを送受信可能である。ボディマウント１４０は、カメラ制御部１５３から受信した露光同期信号やその他制御信号を、レンズマウント１３０を介してレンズ制御部１２０に送信する。また、ボディマウント１４０は、レンズマウント１３０を介してレンズ制御部１２０から受信した信号をカメラ制御部１５３に送信する。
【００２７】
本体バッテリ２０１は、デジタルカメラ１００を駆動するための電力を供給する。本体バッテリ２０１は、例えば乾電池であってもよいし、充電池であってもよい。また、電池の代わりとして、電源コードにより外部から供給される電力をデジタルカメラ１００に供給されるものであってもよい。デジタルカメラ１００の電源は電源スイッチ１５２がユーザによって操作されることよって、オンおよびオフの間で切り替えられる。電源がオンされると、カメラ制御部１５３は、カメラ本体１０２内の各部に電力を供給する。また、カメラ制御部１５３は、ボディマウント１４０およびレンズマウント１３０を介して交換レンズ１０１にも電力を供給する。そして、交換レンズ１０１内では、レンズ制御部１２０により交換レンズ１０１の各部に電力が供給される。
【００２８】
カメラ本体１０２の電源選択回路３００ａは、電源選択回路３００の一部を構成する。電源選択回路３００は、カメラ本体１０２が有する本体バッテリ２０１と、バッテリグリップ１０３が有するＢＧバッテリ２０２とのうちの一方又は両方からデジタルカメラ１００に電源電力を供給する電源を選択する。電源選択回路３００は、選択した電源からの電力を電圧生成回路１５４に出力する。電源選択回路３００は、カメラ制御部１５３により制御される。
【００２９】
カメラ本体１０２側の電源選択回路３００ａは、例えば本体バッテリ２０１の残量を検出する検出回路を備える。当該検出回路は、例えば本体バッテリ２０１の正極と負極間に接続される分圧抵抗回路で構成される。電源選択回路３００ａは、例えば分圧された電圧など、本体バッテリ２０１の残量の検出結果を示す検出信号を生成して、カメラ制御部１５３に出力する。
【００３０】
電圧生成回路１５４は、ＤＣ／ＤＣコンバータ及びレギュレータ等を含み、電源選択回路３００からの電力を、デジタルカメラ１００の各部（負荷部）へ供給する。電圧生成回路１５４は、各部への電力供給にあたり、電源から供給される電圧を各部に適した電圧に変換する。
【００３１】
操作部１７０は、デジタルカメラ１００の外装に設けられた操作釦や操作レバー等のハードキーの総称であり、ユーザによる操作を受け付ける。また、操作部１７０は、例えば液晶モニタ１６３の表示に対するタッチ操作を受け付けるタッチパネルを含む。操作部１７０はユーザによる操作を受け付けると、ユーザ操作に対応した操作信号をカメラ制御部１５３に送信する。
【００３２】
例えば図２に示すように、操作部１７０は、上下左右方向の操作指示が可能な十字釦１７０ａを含む。カメラ本体１０２に電動ズーム機能を有する交換レンズ１０１が装着されると、カメラ制御部１５３は、十字釦１７０ａの左釦および右釦のそれぞれにズーム操作釦としての機能を割り当てる。例えば、カメラ制御部１５３は、左釦にワイド端側方向のズーム操作釦としての機能を割り当て、右釦にテレ端側方向のズーム操作釦としての機能を割り当てる。なお、カメラ本体１０２に装着される電動ズーム機能を有する交換レンズ１０１が、ユーザがズーム操作を行うためのズームレバーを有する場合、カメラ制御部１５３は、必ずしも操作部１７０にズーム操作釦としての機能を割り当てる必要はない。
【００３３】
操作部１７０は、液晶モニタ１６３に、各種設定メニューを表示させるための、メニュー釦１７０ｂを含む。このメニュー釦１７０ｂには、各種の設定メニューにおいて設定を決定するための決定釦としての機能が、カメラ制御部１５３によって割り当てられる場合がある。操作部１７０は、各種の設定を実施する手段として、十字釦１７０ａの他に、回転ダイアル１７０ｃを含む。ユーザは、操作部１７０の十字釦１７０ａまたは回転ダイアル１７０ｃを用いて、液晶モニタ１６３に表示された設定メニュー画面上の各種の設定項目、設定値等を選択および設定することができる。
【００３４】
そのような設定メニュー画面の表示時、カメラ制御部１５３は、十字釦１７０ａ、メニュー釦１７０ｂ、回転ダイアル１７０ｃ等に対するユーザによる操作を検出すると、カメラ制御部１５３は画面を遷移させる。例えば、カメラ制御部１５３は、液晶モニタ１６３に表示される画面を、表示中の設定メニュー画面からより深い階層の設定メニュー画面に遷移させる。ユーザは、遷移後の設定メニュー画面上に表示される各種の設定項目に対して所望の設定を行うことができる。
【００３５】
カメラ本体１０２の上面には、モード切替スイッチ１６６が設けられている。モード切替スイッチ１６６は、ＣＭＯＳイメージセンサ１５０から出力される映像信号を、画像処理部１７２を介して液晶モニタ１６３に表示する撮影待機モードか、または、メモリカード１６４に記録されている静止画または動画の再生をするための再生モードか、どちらかを選択し切り替えるためのスイッチである。
【００３６】
操作部１７０は、静止画の記録を開始するための静止画レリーズ釦１７０ｄ（図１）を含む。静止画レリーズ釦１７０ｄは、ユーザによる撮像指示またはオートフォーカス指示の操作を受け付ける。静止画レリーズ釦１７０ｄは、半押しと全押しの二段階操作可能な構成を有する。例えば、ユーザによる静止画レリーズ釦１７０ｄに対する半押し操作により、カメラ制御部１５３はオートフォーカス動作を実行する。また、ユーザによる静止画レリーズ釦１７０ｄに対する全押し操作により、カメラ制御部１５３は全押し操作のタイミングで生成された画像データをメモリカード１６４に記録する。
【００３７】
操作部１７０は、動画の記録を開始および終了するための動画レリーズ釦１７０ｅ（図２）を含む。動画を記録していないときに動画レリーズ釦１７０ｅが押下されると、デジタルカメラ１００は動画の記録動作を開始する。動画を記録しているときに動画レリーズ釦１７０ｅが押下されると、デジタルカメラ１００は動画の記録動作を終了する。
【００３８】
さらに、操作部１７０は、例えば図２に示すように液晶モニタ１６３に併設されたファンクション釦１７０ｆを含む（以下「Ｆｎ釦１７０ｆ」という）。Ｆｎ釦１７０ｆには、例えば、各バッテリ２０１，２０２における容量のうちで残存する残量を確認するための機能が割り当てられる。
【００３９】
図３に戻り、シャッタ１８０は、ＣＭＯＳイメージセンサ１５０に入射する光の露出時間（露光時間）を調節する。シャッタ１８０は、例えばＤＣモータ又はステッピングモータ等の駆動系により、カメラ制御部１５３から発行される制御信号に従って駆動される。例えば、カメラ制御部１５３は、シャッタ１８０が駆動する駆動速度（シャッタスピード或いは連写速度）を制御できる。
【００４０】
１−３．交換レンズの構成
図３に示すように、交換レンズ１０１は、フォーカスレンズ１１０と、フォーカスレンズ駆動部１１１と、フォーカスリング１１４と、ズームレンズ１１２と、ズームレンズ駆動部１１３と、ズームリング１１５と、レンズ制御部１２０と、ＤＲＡＭ１２１と、フラッシュメモリ１２２と、レンズマウント１３０とを備える。交換レンズ１０１は、図３に示すレンズに加えて手振れ補正用レンズをさらに備えてもよい。
【００４１】
レンズ制御部１２０は交換レンズ１０１全体の動作を制御する。レンズ制御部１２０は、ハードワイヤードな電子回路で構成してもよいし、プログラムを実行するマイクロコンピュータなどで構成してもよい。
【００４２】
ＤＲＡＭ１２１は、レンズ制御部１２０が制御の際に用いるワークメモリとして機能する。フラッシュメモリ１２２は、レンズ制御部１２０の制御の際に使用するプログラムやパラメータ、レンズデータ等を格納する。ここで、レンズデータは、レンズ名称、レンズＩＤ、シリアル番号、Ｆナンバー、焦点距離、など、交換レンズ１０１特有の特性値を含む。後述するように、レンズ制御部１２０は、レンズデータをカメラ制御部１５３に通知し、カメラ制御部１５３はレンズデータに従って各種制御動作を実行することが可能となる。
【００４３】
ズームレンズ１１２は、交換レンズ１０１の光学系で形成される被写体像の倍率を変化させるためのレンズである。ズームレンズ１１２のレンズ構成は何枚でも何群でもよい。
【００４４】
ズームレンズ駆動部１１３は、ユーザによるズームリング１１５の操作に基づいて、ズームレンズ１１２を光学系の光軸に沿って移動させる機械的な機構である。ズームレンズ１１２の位置は随時ズームレンズ位置検出部１１３ｂにより検出され、レンズ制御部１２０に通知される。
【００４５】
フォーカスレンズ１１０は、光学系から入射されＣＭＯＳイメージセンサ１５０上に形成される被写体像のフォーカス状態を変化させるためのレンズである。フォーカスレンズ１１０のレンズ構成は何枚でも何群でもよい。
【００４６】
フォーカスリング１１４は交換レンズ１０１の外装に設けられている。フォーカスリング１１４がユーザによって操作されると、フォーカスリング１１４の操作量に関する情報がレンズ制御部１２０に通知される。レンズ制御部１２０は、通知されたフォーカスリング１１４の操作量に関する情報に基づいて、フォーカスレンズ駆動部１１１を制御して、フォーカスレンズ１１０を駆動する。このため、レンズ制御部１２０はフォーカスレンズ１１０の位置を認識している。
【００４７】
フォーカスレンズ駆動部１１１は、レンズ制御部１２０の制御に基づいてフォーカスレンズ１１０を光学系の光軸に沿って進退するように駆動する。フォーカスレンズ駆動部１１１は、例えばステッピングモータ、ＤＣモータ、超音波モータ等により実現できる。
【００４８】
１−４．バッテリグリップの構成
図３に示すように、バッテリグリップ１０３は、ＢＧバッテリ２０２と、電源選択回路３００ｂと、操作部２０４とを備える。
【００４９】
ＢＧバッテリ２０２は、デジタルカメラ１００を駆動するための電力を供給する。電池２０２は、例えば乾電池であってもよいし、充電池であってもよい。また、電池の代わりとして、電源コードにより外部から供給される電力をデジタルカメラ１００に供給されるものであってもよい。
【００５０】
バッテリグリップ１０３側の電源選択回路３００ｂは、電源選択回路３００において、バッテリグリップ１０３側からカメラ本体１０２側にＢＧバッテリ２０２を接続するための部分を構成する。また、電源選択回路３００ｂは、カメラ制御部１５３により制御される。電源選択回路３００ｂは、例えばＢＧバッテリ２０２の残量を検出する検出回路を本体バッテリ２０１の残量の検出回路と同様に備える。電源選択回路３００ｂは、ＢＧバッテリ２０２の残量の検出結果を示す検出信号を生成して、カメラ制御部１５３に出力する。
【００５１】
操作部２０４は、図２に示すように、上下左右方向の操作指示が可能な十字釦２０４ａと、時計回りおよび反時計回りに回転させる操作が可能な回転ダイアル２０４ｃとを含む。カメラ本体１０２に電動ズーム機能を有する交換レンズ１０１が装着されると、カメラ制御部１５３は、十字釦２０４ａの左釦および右釦のそれぞれにズーム操作釦としての機能を割り当てる。例えば、カメラ制御部１５３は、左釦に、ワイド端側方向のズーム操作釦としての機能を割り当て、右釦に、テレ端側方向のズーム操作釦としての機能を割り当てる。なお、カメラ本体１０２に装着される電動ズーム機能を有する交換レンズ１０１が、ユーザがズーム操作を行うためのズームレバーを有する場合、カメラ制御部１５３は、必ずしも操作部２０４にズーム操作釦としての機能を割り当てる必要はない。
【００５２】
上述したように、バッテリグリップ１０３の操作部２０４の十字釦２０４ａおよび回転ダイアル２０４ｃその他の釦の配置は、カメラ本体１０２の操作部１７０に対して、デジタルカメラ１００の交換レンズ１０１の光軸を中心に、背面から見て時計回りに９０度回転した配置になっている。これにより、静止画を横位置（図１のＺ軸が上方を向くデジタルカメラ１００の位置）で撮影する際にユーザがカメラ本体１０２を把持して操作する場合の操作の所作と、静止画を縦位置（図１のＸ軸が上方を向くデジタルカメラ１００の位置）で撮影する際にユーザがバッテリグリップ１０３を把持して操作する場合の操作の所作とが、ほぼ同じ所作になる。したがって、カメラ本体１０２を把持する場合とバッテリグリップ１０３を把持する場合とで互いに類似の操作を提供し、ユーザの使い易さを向上させることができる。
【００５３】
例えば、バッテリグリップ１０３の操作部２０４は、カメラ本体１０２の操作部１７０と同様のメニュー釦２０４ｂ、回転ダイアル２０４ｃ、及び静止画レリーズ釦２０４ｅをさらに含む。また、バッテリグリップ１０３の操作部２０４は、モード切替スイッチ等と同様の操作部材を含んでもよい。
【００５４】
２．動作
以上のように構成されるデジタルカメラ１００の動作を以下説明する。
【００５５】
２−１．動作の概要
本実施形態のデジタルカメラ１００は、被写体像を撮像して画像データを生成する機能すなわち撮影機能を複数、有する。デジタルカメラ１００の各種撮影機能は、顕著に大きい電力（例えば１５Ｗ以上）を用いて実行される高負荷の撮影機能や、より小さい電力で実行可能な低負荷の撮影機能もある。
【００５６】
高負荷の撮影機能としては、例えば、４Ｋ又は８Ｋ等の高画質で動画を撮影する高画質動画の撮影機能、及び所定値（例えば１０枚／秒）以上の連写速度で静止画を連続的に撮影する高速連写の撮影機能等が挙げられる。低負荷の撮影機能としては、例えば、高画質動画よりも低い画質（例えばＦＨＤ又はＨＤ）による動画の撮影機能、上記所定値よりも低い連写速度で連写する中速又は低速連写の撮影機能、及び特に連写されない静止画の撮影機能等が挙げられる。又、特に撮影結果の画像データが記録されないライブビュー機能も、比較的小さい電力によって実行可能である。
【００５７】
デジタルカメラ１００においては、ユーザ所望の撮影機能を開始／終了する操作を操作部１７０等の各部に割り当てるような設定が、液晶モニタ１６３のメニュー画面を利用したユーザ操作によって行える。例えば、動画レリーズ釦１７０ｅ（図２）に関して、４Ｋ動画又はＦＨＤ動画といった動画の撮影機能が設定される。また、静止画レリーズ釦１７０ｄ（図１）に関して、高速連写又は低速連写といった撮影機能を設定可能である。
【００５８】
図４は、デジタルカメラ１００におけるライブビュー機能の表示例を示す。ライブビュー機能において、液晶モニタ１６３は、表示画面１６３ａにスルー画像６０を表示する。例えば、デジタルカメラ１００のユーザは、液晶モニタ１６３のスルー画像６０を見ながら、上記のように設定された手段を用いて撮影機能を実行する撮影機会を伺うこととなる。
【００５９】
本実施形態のデジタルカメラ１００は、図４に例示するように、ライブビュー時の表示画面１６３ａ上に、バッテリアイコン６１を表示する。本例のバッテリアイコン６１は、本体バッテリ２０１の残量を示す。本実施形態では、ＢＧバッテリ２０２の残量を示すようなアイコンは、ライブビューの表示画面１６３ａには敢えて表示していない。これにより、表示されるアイコンの個数を低減して、表示画面１６３ａの煩雑化を回避することができる。
【００６０】
本実施形態のデジタルカメラ１００は、本体バッテリ２０１とＢＧバッテリ２０２とから電力を供給可能である。これにより、高負荷の撮影機能等が実行可能な期間の長期化、或いは各バッテリ２０１，２０２の小型化を図れる。ここで、上記のようなアイコン表示によると、例えばＢＧバッテリ２０２の残量が不足したことによって特定の撮影機能が実行できない機能制限が生じたとしても、ユーザが機能制限を把握できない事態を招くことが考えられる。このような事態によると、例えばユーザが待ち望んだ撮影機会の到来時に各種レリーズ釦１７０ｄ，１７０ｅを押下した時点で、所望の撮影機能が実行不可と判明し、ユーザは撮影機会を逸してしまう。
【００６１】
そこで、本実施形態のデジタルカメラ１００は、各バッテリ２０１，２０２の残量に応じた機能制限の有無についてユーザが撮影の事前に確認できるユーザインタフェースを提供する。以下、本実施形態のデジタルカメラ１００の動作の詳細を説明する。
【００６２】
２−２．動作の詳細
図５〜図１１を用いて、デジタルカメラ１００の動作の詳細を説明する。図５は、本実施形態に係るデジタルカメラ１００における機能制限の確認時の処理を説明するためのフローチャートである。
【００６３】
図５に示すフローチャートは、例えばデジタルカメラ１００がライブビュー機能の実行中に開始される。本フローチャートに示す各処理は、例えばカメラ制御部１５３によって実行される。以下では、事前に動画レリーズ釦１７０ｅに関して４Ｋ動画の撮影機能が設定され、静止画レリーズ釦１７０ｄに関して高速連写の撮影機能が設定されていた場合における処理例を説明する。
【００６４】
まず、カメラ制御部１５３は、例えば操作部１７０において、両方のバッテリ２０１，２０２の残量を確認するためのユーザの操作が入力されたか否かを検知する（Ｓ１）。残量確認のユーザ操作は、例えばＦｎ釦１７０ｆ（図２）の押下によって行われる。残量確認のユーザ操作を行っていないとき（Ｓ１でＮＯ）、ユーザは、バッテリアイコン６１（図４）により、本体バッテリ２０１の残量は把握できる。
【００６５】
カメラ制御部１５３は、残量確認のユーザ操作の入力を検知したとき（Ｓ１でＹＥＳ）、例えば電源選択回路３００からの検出信号により現在の各バッテリ２０１，２０２の残量を取得し（Ｓ２）、例えば両バッテリ２０１，２０２の残量表示を行うように液晶モニタ１６３を制御する（図７など参照）。
【００６６】
また、カメラ制御部１５３は、現在の各バッテリ２０１，２０２の残量に基づいて、デジタルカメラ１００の撮影機能の全てが使用できる状態か、使用できない状態か、或いは一部のみが使用できない状態かの判断を行う（Ｓ３，Ｓ４）。デジタルカメラ１００の機能制限の状態について、図６を用いて説明する。
【００６７】
図６は、デジタルカメラ１００における各バッテリ２０１，２０２の残量の組み合わせを、３つの状態Ａ，Ｂ，Ｃに分類するテーブルを例示している。状態Ａは、デジタルカメラ１００における全ての撮影機能が使用可能な残量がある状態である。状態Ｂは、一部の撮影機能を実行するためには残量が不足しており、当該一部の撮影機能のみが使用できない状態である。状態Ｃは、さらに残量が不足し、全ての撮影機能が使用できない状態である。例えば、上記のようなテーブルを示す情報が、予めフラッシュメモリ１５６に格納されている。
【００６８】
図６の例では、各バッテリ２０１，２０２の残量が、三段階Ｓａ，Ｓｂ，Ｓｃで管理されている。残量が最大の段階Ｓａと次の段階Ｓｂとの間には、特定の撮影機能を実行するためには不充分と想定される残量を基準とするしきい値が設定される（例えば７．２Ｖ）。当該しきい値は、例えば、例えば４Ｋ等の高画質の動画機能が３０秒以下しか記録できない残量、或いは高速連写の撮影機能により連写速度で複数回、シャッタ１８０を駆動することができないに対応する。
【００６９】
また、上記の段階Ｓｂと残量が最小の段階Ｓｃ間には、実行中の撮影機能を停止させるために用いることが想定される残量を考慮して、段階Ｓａ，Ｓｂ間のしきい値よりも小さい値のしきい値が設定される（例えば６．２Ｖ）。カメラ制御部１５３は、各しきい値によるしきい値判定に基づいて、各々のバッテリ２０１，２０２の残量の段階Ｓａ〜Ｓｃをそれぞれ管理する。
【００７０】
図５に戻り、カメラ制御部１５３は、例えばフラッシュメモリ１５６に格納されたテーブル（図６）を参照して、現在の各バッテリ２０１，２０２の残量の段階Ｓａ〜Ｓｃに対応する状態がいずれの状態Ａ，Ｂ，Ｃであるのかを判断する（Ｓ３，Ｓ４）。
【００７１】
カメラ制御部１５３は、デジタルカメラ１００が、全機能が使用可能な状態Ａであると判断すると（Ｓ３でＹＥＳ）、現在使用できない機能はないことを示す情報を液晶モニタ１６３に表示させる（Ｓ５）。図７に、ステップＳ５の表示例を示す。本例において、液晶モニタ１６３は、２個のバッテリ２０１，２０２のそれぞれの残量を示す残量表示２０（Ｓ２）と共に「使用ＮＧ（No Good）の機能はありません。」というメッセージ２１を表示している。
【００７２】
一方、デジタルカメラ１００が、全機能が使用可能な状態Ａではないが（Ｓ３でＮＯ）、一部の機能が使用可能な場合（Ｓ４でＹＥＳ）、一部の機能が使用不可の状態Ｂに該当する。この場合、カメラ制御部１５３は、使用できない機能があることを示す情報を液晶モニタ１６３に表示させる（Ｓ６）。ステップＳ６の表示例を図８に示す。
【００７３】
図８の例において、液晶モニタ１６３は、カメラ制御部１５３の制御により、２個のバッテリ２０１，２０２の残量表示２０（Ｓ２）と共に、使用ＮＧリスト２２と、代替機能リスト２３と、切替え操作アイコン２４とを表示する（Ｓ６）。
【００７４】
使用ＮＧリスト２２は、現在のデジタルカメラ１００の状態では使用不可の撮影機能を示すリストである。図８の例の使用ＮＧリスト２２は、状態Ｂで使用不可の撮影機能として「４Ｋ動画」と「高速連写」とを列挙している。
【００７５】
代替機能リスト２３は、使用ＮＧリスト２２が示す撮影機能の代わりに使用可能な撮影機能、即ち代替機能を示すリストである。本例の代替機能リスト２３は、「４Ｋ動画」の代替機能としての「ＦＨＤ動画」と、「高速連写」の代替機能としての「低速連写」とを列挙している。
【００７６】
切替え操作アイコン２４は、使用ＮＧリスト２２に挙がった撮影機能の代わりに、代替機能リスト２３の代替機能を使用するか否かをユーザに選択させるための操作アイコンである。本例の切替え操作アイコン２４において、「Ｙｅｓ」又は「Ｎｏ」の選択は、使用ＮＧリスト２２中の各機能を一括して、各々の代替機能に切り替えるか否かに対応する。
【００７７】
図５のステップＳ６の処理について、例えば、状態Ｂでは使用不可の撮影機能と、各々の代替機能とを互いに関連付けた情報を、予めフラッシュメモリ１５６に格納しておく。ステップＳ６においてカメラ制御部１５３は、上記の情報を参照して、使用ＮＧリスト２２及び代替機能リスト２３等の表示を制御する。
【００７８】
カメラ制御部１５３は、ステップＳ６で表示された切替え操作アイコン２４に対するユーザの操作を、操作部１７０を介して受け付けて、使用不可の撮影機能の代わりに代替機能を使用することが選択されたか否かを判断する（Ｓ７）。例えば、ユーザが図８の例の切替え操作アイコン２４において「Ｙｅｓ」を選択すると、カメラ制御部１５３はステップＳ７で「ＹＥＳ」に進む。切替え操作アイコン２４に対するユーザの選択操作は、例えば十字釦１７０ａ等の釦又はタッチパネルにより入力される。
【００７９】
カメラ制御部１５３は、ユーザの選択操作において代替機能を使用することが選択されたと判断すると（Ｓ７でＹＥＳ）、当該操作に従ってデジタルカメラ１００の設定を更新する（Ｓ８）。ここで、当該操作に従ってデジタルカメラ１００の設定を更新する際に、この更新された設定は、ＤＲＡＭ１５５またはフラッシュメモリ１５６にデータとして記録される。その記録されたデータは、デジタルカメラ１００の電源がＯＦＦされた場合に、保持されても良いし、保持されなくても良い。保持された場合は、デジタルカメラ１００の電源が再びＯＮされた場合に、前記ステップＳ８で更新された設定を保持する。また、カメラ制御部１５３は、例えば図９に示すように、確認のメッセージ２５等を液晶モニタ１６３に表示させる（Ｓ９）。
【００８０】
図９は、図８の例の切替え操作アイコン２４において「Ｙｅｓ」が選択された場合を例示している。このようなユーザの選択操作に従って、カメラ制御部１５３は、動画レリーズ釦１７０ｅに設定する撮影機能を「４Ｋ動画」から「ＦＨＤ動画」に変更し、静止画レリーズ釦１７０ｄに設定する撮影機能を「高速連写」から「低速連写」に変更する（Ｓ８）。
【００８１】
一方、カメラ制御部１５３は、ユーザの選択操作において代替機能を使用することが選択されなかったと判断すると（Ｓ７でＮＯ）、特にステップＳ８のような設定変更は行わずに、図１０のようなメッセージ２６等を表示する（Ｓ１０）。例えば、図８の切替え操作アイコン２４において「Ｎｏ」が選択された場合、或いは特に選択操作が行われず所定期間が経過した場合、カメラ制御部１５３はステップＳ７で「ＮＯ」に進む。
【００８２】
図１０の例の表示（Ｓ１０）後に、例えば動画レリーズ釦１７０ｅが押下されたとしても、デジタルカメラ１００は、残量が不足した状態Ｂのままであれば動画の撮影を開始しないこととなる。また、静止画レリーズ釦１７０ｄが操作されたとしても、連写せずに１枚の静止画しか撮影しないように、デジタルカメラ１００の撮影機能が制限される。
【００８３】
また、デジタルカメラ１００が、全機能が使用可能な状態Ａではなく（Ｓ３でＮＯ）、且つ一部の機能が使用可能な状態Ｂでもない場合（Ｓ４でＮＯ）、全ての機能が使用不可の状態Ｃに該当する。この場合、カメラ制御部１５３は、例えば図１１に示すように、デジタルカメラ１００の使用の中断を促す警告のメッセージ２７等を液晶モニタ１６３に表示させる（Ｓ１１）。
【００８４】
カメラ制御部１５３は、ステップＳ５，Ｓ９〜Ｓ１１の各種表示を行うと、例えばタイムアウトを示す所定期間の経過後、或いはＦｎ釦１７０ｆの再押下などにより、本フローチャートによる処理を終了する。その後、カメラ制御部１５３は、ライブビュー機能の表示に戻り、例えば所定の周期でステップＳ１を再度行う。
【００８５】
以上の処理によると、デジタルカメラ１００のバッテリ２０１，２０２の現在の残量に応じた各種情報の表示２０〜２７により（Ｓ５，Ｓ６，Ｓ９〜Ｓ１１）、ユーザは、１つのバッテリアイコン６１では把握し難い機能制限の有無といった状況を確認することができる。以上の処理における各種の表示２０〜２７は、それぞれ本実施形態における確認情報の一例である。
【００８６】
特に、現在のバッテリ２０１，２０２の残量では使用不可の撮影機能がある場合に（Ｓ３でＮＯ）、ユーザは、図８の使用ＮＧリスト２２等において（Ｓ６）、使用不可の撮影機能を具体的に確認することができる。例えば、ユーザの所望の撮影機能が使用ＮＧリスト２２に挙がると、残量の不足をユーザに把握させ、いずれかのバッテリ２０１，２０２の交換を促すことができる。また、例えばユーザが複数台のデジタルカメラ１００を所持している場合に、使用中のデジタルカメラ１００が所望の撮影機能で撮影できないことが確認できれば、他のデジタルカメラ１００を用いるといったユーザの要望にも、応えることができる。このように、特定の撮影機能が現在、実行できないことを事前に確認可能にすることで、ユーザにとってデジタルカメラ１００を使い易くすることができる。
【００８７】
また、例えば代替機能リスト２３において代替機能をユーザに提示することにより（Ｓ６）、ユーザは、現在使用できない撮影機能の代わりに使用できる撮影機能を選択することもできる。例えば、図８の例において切替え操作アイコン２４で「Ｙｅｓ」を選択し、その後に動画レリーズ釦１７０ｅが押下されると、ＦＨＤ動画を撮影することができる。ユーザが機能制限を確認する際に切替え操作アイコン２４のような選択操作を受け付けて（Ｓ７）、設定変更を自動的に更新することにより（Ｓ８）、ユーザが別途、設定メニューを掘り下げて設定をし直すような手間を無くして、デジタルカメラ１００を使い易くできる。
【００８８】
以上の説明では、ステップＳ１における残量確認のユーザ操作として、Ｆｎ釦１７０ｆの押下を例示した。残量確認のユーザ操作は特に上記の操作に限定されず、例えばタッチパネルに対するタッチ操作であってもよい。例えば、カメラ制御部１５３は、図４におけるバッテリアイコン６１がタッチされたことを検知して、ステップＳ１でＹＥＳに進んでもよい。
【００８９】
以上の説明では、デジタルカメラ１００の撮影機能について、機能制限を確認する例を説明した。特に撮影機能に限らず、各バッテリ２０１，２０２の残量不足から使用できない状態になった各種の機能について、図５の処理が適用可能である。
【００９０】
以上で説明した各種表示２０〜２７は例示であり、特にこれに限定されない。各種メッセージ２１，２５〜２７の表示（Ｓ５，Ｓ９〜Ｓ１１）は、適宜省略されてもよい。例えば、ステップＳ５のメッセージ２１が表示されずに図５の処理が終了したとしても、ユーザは、現在使用できない機能がない状態であることを把握することが可能である。
【００９１】
また、以上の説明では、ステップＳ２において２個のバッテリ２０１，２０２の残量の表示を行う例を説明した。上記の表示のタイミングは、例えばステップＳ５，Ｓ６，Ｓ１１等と同時であってもよい。また、２個のバッテリ２０１，２０２の残量表示２０は、必ずしも表示されなくてもよい。この場合であっても、例えば使用ＮＧリスト２２の表示の有無により、ユーザは機能制限の有無を把握することができる。
【００９２】
上記のステップＳ３，Ｓ４の説明では、図６のテーブルを用いたデジタルカメラ１００の機能制限の状態の判断方法を例示したが、特にこれに限らず、種々の判断方法を採用可能である。例えば、上記の３つの状態Ａ，Ｂ，Ｃよりも多数の状態が設定されてもよい。例えば一部の機能のみが使用不可の状態Ｂが、使用不可の機能の種類に応じて細分化されてもよい。また、各バッテリ２０１，２０２の残量も特に三段階に限定されない。また、カメラ制御部１５３は、ステップＳ２で取得した現在の残量に基づき、使用不可の機能を検索する処理を行ってもよい。
【００９３】
上記のステップＳ７では、代替機能が一括で選択される例を説明したが、代替機能の選択操作は個別に行われてもよい。例えば、切替え操作アイコン２４が、十字釦１７０ａの上釦及び下釦等によって移動可能であるなど、使用ＮＧリスト２２に挙がった機能毎にユーザの選択操作を受け付けるように構成されてもよい。この場合、カメラ制御部１５３は、デジタルカメラ１００において切替え操作アイコン２４で「Ｙｅｓ」が選択された機能の設定を更新する。
【００９４】
３．まとめ
以上のように、本実施形態のデジタルカメラ１００は、少なくとも１つのバッテリ２０１，２０２が装着され、被写体像を撮像して画像データを生成する撮像装置の一例である。デジタルカメラ１００は、操作部１７０と、表示部の一例である液晶モニタ１６３と背制御部の一例であるカメラ制御部１５３とを備える。操作部１７０は、ユーザの操作を入力する。液晶モニタ１６３は、デジタルカメラ１００の設定に関する情報を表示する。カメラ制御部１５３は、操作部１７０に入力されたユーザ操作に基づき、液晶モニタ１６３を制御する。デジタルカメラ１００は、バッテリによる電力を用いて実行される複数の機能を有する。カメラ制御部１５３は、上記複数の機能を実行していない状態で所定のユーザ操作が操作部１７０に入力されたとき（Ｓ１でＹＥＳ）、上記複数の機能において各バッテリ２０１，２０２の残量が不足していることから実行できない機能があるか否かを示す確認情報として各種表示２０〜２７を液晶モニタ１６３に表示させる（Ｓ５，Ｓ６，Ｓ１１）。所定のユーザ操作は、例えば各バッテリ２０１，２０２の残量に関する情報を確認するための操作である。
【００９５】
以上のデジタルカメラ１００によると、ユーザがデジタルカメラ１００による撮影の実施前などに、各バッテリ２０１，２０２の残量に関する情報を確認する操作を行ったときに、残量が不足していることから実行できない機能があるか否かが分かる確認情報が表示される。これにより、各バッテリ２０１，２０２の残量に応じて制限されるデジタルカメラ１００の機能を、ユーザにとって把握し易くすることができる。
【００９６】
本実施形態において、確認情報の一例の使用ＮＧリスト２２は、残量確認のユーザ操作が入力されたときの各バッテリ２０１，２０２の残量では実行できない機能を列挙する（図８参照）。これにより、ユーザは現在、使用不可の機能を具体的に把握することができる。
【００９７】
本実施形態において、確認情報の一例の代替機能リスト２３は、使用ＮＧリスト２２に挙がった機能、即ち現在の残量では実行できない機能の代わりに、当該残量において実行できる代替機能を提示する（図８参照）。これにより、実行できない機能がある場合には代替機能が提示され、ユーザにとってデジタルカメラ１００を使い易くすることができる。
【００９８】
本実施形態において、操作部１７０は、各バッテリ２０１，２０２の残量では実行できない機能の代わりに、提示された代替機能を使用するか否かを選択するユーザの選択操作を入力する（Ｓ７）。カメラ制御部１５３は、ユーザの選択操作に従ってデジタルカメラ１００の設定を制御する（Ｓ８）。これにより、ユーザは代替機能を使用することを選択すると、デジタルカメラ１００の設定が自動的に更新され、デジタルカメラ１００の使い易さを向上できる。
【００９９】
本実施形態において、確認情報の一例の残量表示２０は、デジタルカメラ１００で用いるバッテリにおける個別のバッテリ２０１，２０２の残量を含む（図７〜図１１参照）。これにより、ユーザはいずれのバッテリの残量が不足しているか等を把握でき、デジタルカメラ１００を使い易くすることができる。
【０１００】
本実施形態において、デジタルカメラ１００で用いるバッテリは、本体バッテリ２０１（第１のバッテリ）と、ＢＧバッテリ２０２（第２のバッテリ）とを含む。液晶モニタ１６３は、ライブビュー時等のスルー画像６０といった被写体像を表示する際に、ＢＧバッテリ２０２の残量を表示せずに、本体バッテリ２０１の残量を示すバッテリアイコン６１を表示する（図４）。これにより、液晶モニタ１６３の表示の煩雑化を回避することができる。
【０１０１】
本実施形態において、本体バッテリ２０１は、デジタルカメラ１００の内部に設けられる。ＢＧバッテリ２０２は、デジタルカメラ１００に取り付け可能な外部装置の一例であるバッテリグリップ１０３に設けられる。取り換え易いバッテリグリップ１０３中のＢＧバッテリ２０２を優先的に使用することで、デジタルカメラ１００の電力を効率良く用いることができる。
【０１０２】
（他の実施の形態）
以上のように、本出願において開示する技術の例示として、実施の形態１を説明した。しかしながら、本開示における技術は、これに限定されず、適宜、変更、置換、付加、省略などを行った実施の形態にも適用可能である。また、上記実施の形態１で説明した各構成要素を組み合わせて、新たな実施の形態とすることも可能である。そこで、以下、他の実施の形態を例示する。
【０１０３】
上記の実施の形態１では、確認情報の一例として、各バッテリ２０１，２０２の現在の残量では実行できない機能を列挙する使用ＮＧリスト２２を例示した。本実施形態の確認情報としては、特に上記に限定されず、種々の態様において、現在の残量では実行できない機能があるか否かを示す情報を採用することができる。例えば、本実施形態の確認情報は、実行できない機能の列挙の代わりに、例えば、現在の残量で実行できる機能を列挙してもよい。列挙される機能の対象は、例えば現在デジタルカメラ１００に設定された機能など適宜、限定されてもよい。また、本実施形態の確認情報は、現在の残量において実行できる機能と実行できない機能とを異なる表示態様で表示してもよく、例えば実行できない機能をグレイアウトの表示としてもよい。
【０１０４】
また、上記の各実施の形態では、確認情報を表示させる際の所定のユーザ操作が、各バッテリ２０１，２０２の残量に関する情報を確認するための操作（Ｓ１）である例を説明したが、当該ユーザ操作は上記の例に限定されない。例えば、当該ユーザ操作は、ユーザが今から実施したい所望の機能が、使用可能か否かを確認するための操作であってもよい。
【０１０５】
上記の一例の処理として、カメラ制御部１５３は、例えば図５のフローチャートにおいてステップＳ５，Ｓ６，Ｓ１１等を省略した処理において、ステップＳ１の代わりに上述したユーザ操作を受け付ける。ユーザ操作の入力に応じて、カメラ制御部１５３は、上述した確認情報を表示し、ステップＳ７〜Ｓ１０と同様の処理を行って、デジタルカメラ１００の設定をユーザの選択操作に従って制御する。例えば、ユーザが代替機能に自動設定することを選択すると（Ｓ７でＹＥＳ）、カメラ制御部１５３は、デジタルカメラ１００の設定を更新する（Ｓ８）。
【０１０６】
また、上記の各実施の形態では、使用不可の機能を代替機能に設定するか否か（ステップＳ７）は、ステップＳ６の後ろの段階で実施する形態として示したが、それに限らなくても良い。例えばメニュー画面において、使用不可の機能を代替機能に自動設定するか否かを、ステップＳ１の前の段階で（つまり、初期設定やプリセットで）、当該ユーザが選択することを可能とする形態であってもよい。この場合、使用不可の機能を代替機能に設定するか否かの設定情報は、デジタルカメラ１００の電源がＯＦＦされた場合に、保持される。つまり、デジタルカメラ１００の電源が再びＯＮされた場合に、デジタルカメラ１００の電源がＯＦＦされる前の、使用不可の機能を代替機能に設定するか否かの設定情報を、保持する。この際の確認情報は、例えば上述した切替え操作アイコン２４のように、現在の各バッテリ２０１，２０２の残量が減った場合において使用不可となる機能の代わりに、対応する代替機能を使用するか否かを確認する情報である。
【０１０７】
以上のように、確認情報は、ユーザ操作が入力されたときの各バッテリ２０１，２０２の残量では実行できない機能の代わりに、当該残量において実行できる機能を使用するか否かを確認する情報であってもよい。カメラ制御部１５３は、当該確認情報において実行できる機能を使用するか否かを選択するユーザの操作に従って、デジタルカメラ１００の設定を制御してもよい。これによっても、各バッテリ２０１，２０２の残量に応じて制限される機能について、ユーザがデジタルカメラ１００を使い易くすることができる。
【０１０８】
また、上記の各実施の形態では、２個のバッテリ２０１，２０２が装着されるデジタルカメラ１００について説明した。本実施形態のデジタルカメラ１００は、３個以上のバッテリが装着される撮像装置であってもよいし、１個のバッテリのみが装着される撮像装置であってもよい。これらの場合であっても、バッテリの残量の不足により実行できない機能が生じることが考えられる。このことから、本実施形態のデジタルカメラ１００によっても、実施の形態１と同様に、確認情報の表示によって、バッテリの残量に応じて制限される撮像装置の機能を、ユーザにとって把握し易くすることができる。
【０１０９】
また、上記の各実施の形態では、撮像装置の一例としてレンズ交換式のデジタルカメラについて説明したが、本実施形態の撮像装置は、特にレンズ交換式ではないデジタルカメラであってもよい。また、本開示の思想は、デジタルカメラのみならず、ムービーカメラ、カメラ付き携帯電話、パーソナルコンピュータのような、複数のバッテリを接続可能な種々の電子機器に適用可能である。
【０１１０】
以上のように、本開示における技術の例示として、実施の形態を説明した。そのために、添付図面および詳細な説明を提供した。
【０１１１】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１１２】
また、上述の実施の形態は、本開示における技術を例示するためのものであるから、特許請求の範囲またはその均等の範囲において種々の変更、置換、付加、省略などを行うことができる。
【産業上の利用可能性】
【０１１３】
本開示は、デジタルカメラ、ムービーカメラ、カメラ付き携帯電話等の、複数のバッテリを接続可能な電子機器に適用可能である。
【符号の説明】
【０１１４】
１００  デジタルカメラ
１０３  バッテリグリップ
１５３  カメラ制御部
１６３  液晶モニタ
１７０  操作部
２０１  本体バッテリ（第１のバッテリ）
２０２  ＢＧバッテリ（第２のバッテリ）
【図１】
2020173354.tif 000003
【図２】
2020173354.tif 000004
【図３】
2020173354.tif 000005
【図４】
2020173354.tif 000006
【図５】
2020173354.tif 000007
【図６】
2020173354.tif 000008
【図７】
2020173354.tif 000009
【図８】
2020173354.tif 000010
【図９】
2020173354.tif 000011
【図１０】
2020173354.tif 000012
【図１１】
2020173354.tif 000013